(57)【特許請求の範囲】
【請求項１】
外気を取込んで熱交換器に通しその熱交換器を経た空気を空調用空気として被空調空間に供給するエアハンドリングユニットの制御器と前記熱交換器に接続される熱源機の制御器とをつなぐエアハンドリングユニット用熱源機の制御装置であって、
前記エアハンドリングユニットの制御器から発せられる制御信号に応じた運転内容を前記熱源機の制御器に知らせる第１制御手段と、
前記熱源機の実際の運転内容をその熱源機の制御器を通して検出する検出手段と、
前記検出手段で検出した運転内容が前記第１制御手段により知らせた運転内容であるかを判定する判定手段と、
前記判定手段の判定結果を前記制御信号の修正用として前記エアハンドリングユニットの制御器に知らせる第２制御手段と、
を備えたことを特徴とするエアハンドリングユニット用熱源機の制御装置。
【請求項２】
前記エアハンドリングユニットの制御器は、前記空調用空気の温度が設定温度となるように前記熱源機の能力を指定するための能力制御信号を発し、
前記第１制御手段は、前記エアハンドリングユニットの制御器から発せられる能力制御信号に応じた能力を前記熱源機の制御器に知らせ、
前記検出手段は、前記熱源機の実際の能力をその熱源機の制御器を通して検出し、
前記判定手段は、前記検出手段で検出した能力が前記第１制御手段により知らせた能力に達しているかを判定し、
前記第２制御手段は、前記判定手段の判定結果を前記能力制御信号の修正用として前記エアハンドリングユニットの制御器に知らせる
ことを特徴とする請求項１記載のエアハンドリングユニット用熱源機の制御装置。
【請求項３】
前記エアハンドリングユニットの制御器は、前記空調用空気の温度が設定温度となるように前記熱源機の能力を指定するためのアナログ信号を能力制御信号として発する、
前記第１制御手段は、前記エアハンドリングユニットの制御器から発せられる能力制御信号に応じた能力をディジタル信号により前記熱源機の制御器に知らせ、
前記第２制御手段は、前記判定手段の判定結果を、前記検出手段で検出した能力が前記第１制御手段により知らせた能力に達している場合は論理“１”となり、前記検出手段で検出した能力が前記第１制御手段により知らせた能力に達していない場合は論理“０”となるパターンの報知信号により、前記能力制御信号の修正用として前記エアハンドリングユニットの制御器に知らせる
ことを特徴とする請求項２記載のエアハンドリングユニット用熱源機の制御装置。
【請求項４】
前記エアハンドリングユニットの制御器は、前記空調用空気の温度が設定温度となるように前記熱源機の能力を指定するためのアナログ信号を能力制御信号として発する、
前記第１制御手段は、前記エアハンドリングユニットの制御器から発せられる能力制御信号に応じた能力をディジタル信号により前記熱源機の制御器に知らせ、
前記第２制御手段は、前記判定手段の判定結果を、前記検出手段で検出した能力が前記第１制御手段により知らせた能力と同じ場合は論理“１”となり、前記検出手段で検出した能力が前記第１制御手段により知らせた能力に満たない場合は論理“０”となり、前記検出手段で検出した能力が前記第１制御手段により知らせた能力を超えている場合は論理“１”と論理“０”を短時間に繰り返すパターンの報知信号により、前記能力制御信号の修正用として前記エアハンドリングユニットの制御器に知らせる
ことを特徴とする請求項２記載のエアハンドリングユニット用熱源機の制御装置。
【請求項５】
前記第２制御手段は、前記熱源機の制御器による高圧レリース制御の実行、低圧レリース制御の実行、および除霜運転の実行を、１周期中に論理“１”と論理“０”があってその１周期における論理“１”の比率が互いに異なるパターンの報知信号により、前記エアハンドリングユニットの制御器に知らせる
ことを特徴とする請求項３または請求項４に記載のエアハンドリングユニット用熱源機の制御装置。
【発明の詳細な説明】
【技術分野】
【０００１】
本発明の実施形態は、外気を導入して熱交換器に通しその熱交換器を経た空気を被空調空間へ供給するエアハンドリングユニット用熱源機の制御装置に関する。
【背景技術】
【０００２】
熱源機（室外機）に冷媒配管接続された熱交換器を送風機と共にケースに収め、送風機の運転によりケース内に外気を導入して熱交換器に通し、その熱交換器を経た空気を空調用空気として被空調空間へ供給する直接膨張方式のエアハンドリングユニットが知られている。
【０００３】
このエアハンドリングユニットから熱源機の運転を制御する例として、制御条件の設定が可能なダイレクト・ディジタル・コントローラ（Direct Digital controller）いわゆるＤＤＣを備え、空調用空気の温度が設定温度となるようにＤＤＣによりエアハンドリングユニット及び熱源機の運転や能力を制御するものがある。この場合、ＤＤＣは、エアハンドリングユニットの制御器として機能する。
【０００４】
ＤＤＣは、エアハンドリングユニットを設置する作業員の操作により、制御条件を適宜に書込みと書換えが可能である。このＤＤＣに適切な制御動作を書込むことにより、エアハンドリングユニットの及び熱源機運転制御を設置場所の環境等に適合させることができる。一方、熱源機は、このＤＤＣからの指示にしたがった内容の運転を行う。
【先行技術文献】
【特許文献】
【０００５】
【特許文献１】特開２００５−２５７１６６号公報
【発明の概要】
【発明が解決しようとする課題】
【０００６】
上記ＤＤＣは、必要な能力を熱源機に指令するだけである。ＤＤＣの指令に応じた能力制御が熱源機で実際に行われればよいが、そうでない場合は空調用空気の温度を設定温度に維持できず被空調空間の快適性が損なわれてしまう。
【０００７】
熱源機は、ＤＤＣの運転指示よりも熱源機内の機器の保護制御を優先する場合がある。また、熱源機における室外熱交換器に着いた霜を取り除くための除霜運転もＤＤＣの運転指示を無視して優先的に実施される。
【０００８】
本発明の実施形態の目的は、上述のような指令に応じた能力制御が熱源機で実際に行われない場合にその能力制御を補って被空調空間の快適性を確保できるエアハンドリングユニット用熱源機の制御装置を提供することである。
【課題を解決するための手段】
【０００９】
請求項１のエアハンドリングユニット用熱源機の制御装置は、外気を取込んで熱交換器に通しその熱交換器を経た空気を空調用空気として被空調空間に供給するエアハンドリングユニットの制御器と前記熱交換器に接続される熱源機の制御器とをつなぐものであって、第１制御手段、検出手段、判定手段、および第２制御手段を備える。第１制御手段は、前記エアハンドリングユニットの制御器から発せられる制御信号に応じた運転内容を前記熱源機の制御器に知らせる。検出手段は、前記熱源機の実際の運転内容をその熱源機の制御器を通して検出する。判定手段は、前記検出手段で検出した運転内容が前記第１制御手段により知らせた運転内容であるかを判定する。第２制御手段は、前記判定手段の判定結果を前記制御信号の修正用として前記エアハンドリングユニットの制御器に知らせる。
【図面の簡単な説明】
【００１０】
【図１】一実施形態の構成を示すブロック図。
【図２】一実施形態における報知信号のフォーマットを示す図。
【図３】図２の報知信号のフォーマットの変形例を示す図。
【図４】図２の報知信号のフォーマットの別の変形例を示す図。
【発明を実施するための形態】
【００１１】
以下、本発明の一実施形態について図面を参照しながら説明する。  
図１に示すエアハンドリングユニットの本体１は、被空調空間と屋外空間とを連通する通風路（第１通風路）２および通風路（第２通風路）３を互いに隣接状態で内側に有し、例えば建物の壁面を貫通して配置される。
【００１２】
通風路２は、屋内の被空調空間に臨む還気口２ａおよび屋外空間に臨む排気口２ｂを有し、還気口２ａに流入する被空調空間の空気を排気口２ｂに導いて屋外に排出する。通風路３は、屋外空間に臨む外気導入口３ａおよび屋内の被空調空間に臨む給気口３ｂを有し、外気導入口３ａに流入する外気を給気口３ｂに導いて被空調空間に供給する。
【００１３】
通風路２の還気口２ａから排気口２ｂにかけて、塵埃除去用のエアフィルタ１１、換気用の送風機１２、全熱交換器１３が順に配置される。送風機１２の運転により、被空調空間の空気が還気口２ａに流入し、流入した空気がエアフィルタ１１、送風機１２、全熱交換器１３を通って排気口２ｂから屋外に排出される。
【００１４】
通風路３の外気導入口３ａから給気口３ｂにかけて、全熱交換器１４、空気熱交換器２１，３１、給気用の送風機１５、塵埃除去用のエアフィルタ１６が順に配置される。送風機１５の運転により、外気が外気導入口３ａに取込まれ、取込まれた空気が全熱交換器１４、空気熱交換器２１，３１、送風機１５、エアフィルタ１６を通って給気口３ｂから被空調空間に供給される。
【００１５】
通風路２において、還気口２ａの近傍に還気温度センサ４１が配置され、排気口２ｂの近傍に排気温度センサ４２が配置される。通風路３において、全熱交換器１４と空気熱交換器２１，３１との間に全熱空気温度センサ４３が配置され、給気口３ｂの近傍に給気温度センサ４４が配置される。
【００１６】
全熱交換器１３，１４は、水配管を介して相互接続され、全熱交換器１３に流入する空気と全熱交換器１４に流入する外気とを水配管内の水を介して互いに熱交換する。つまり、通風路２を通る空気の熱が、通風路３に流入する外気に与えられる（移行する）。
【００１７】
空気熱交換器２１，３１は、通風路３の通風方向と直交する方向に並んで配置され、本体１外の熱源機２０，３０にそれぞれ冷媒配管接続される。
【００１８】
熱源機２０は、空気熱交換器２１と共にヒートポンプ式冷凍サイクルを構成する圧縮機、四方弁、室外熱交換器、膨張弁を含み、冷房時は圧縮機の吐出冷媒を四方弁から室外熱交換器に送りその室外熱交換器から流出する冷媒を膨張弁、空気熱交換器２１、四方弁を通して圧縮機に戻し、暖房時は圧縮機の吐出冷媒を四方弁から空気熱交換器２１に送りその空気熱交換器２１から流出する冷媒を膨張弁、室外熱交換器、四方弁を通して圧縮機に戻す。熱源機３０は、熱源機２０と同じ冷凍サイクル部品を備え、空気熱交換器３１に接続される。
【００１９】
上記還気温度センサ４１、排気温度センサ４２、全熱空気温度センサ４３、給気温度センサ４４が、エアハンドリングユニットの制御器であるダイレクト・ディジタル・コントローラ（Direct Digital controller）いわゆるＤＤＣ４０に信号線接続される。ＤＤＣ４０は、還気温度センサ４１、排気温度センサ４２、全熱空気温度センサ４３、給気温度センサ４４の検知温度（給排気温度状況）に応じた能力制御信号Ａ１，Ａ２を熱源機２０，３０に対し発する。
【００２０】
具体的には、ＤＤＣ４０は、主要な機能として次の（１）（２）の手段を有する。  
（１）被空調空間に供給される空調用空気の温度が予め定められた設定温度となるように、還気温度センサ４１、排気温度センサ４２、全熱空気温度センサ４３、給気温度センサ４４の検知温度に応じて、送風機１２，１５の風量および熱源機２０，３０の能力を制御する第１制御手段。なお、第１制御手段は、熱源機２０，３０の能力制御に関し、熱源機２０，３０内の各圧縮機の運転周波数Ｆ１，Ｆ２を目標運転周波数Ｆ１ｔ，Ｆ２ｔに設定するための能力制御信号Ａ１，Ａ２を後述するコントローラ（エアハンドリングユニット用熱源機の制御装置）５０，６０を介して熱源機２０，３０に対し発する。目標運転周波数Ｆ１ｔ，Ｆ２ｔは、各圧縮機の運転を停止する場合の零Hzを含む。
【００２１】
なお、目標運転周波数Ｆ１ｔ，Ｆ２ｔの設定は、給気温度センサ４４の検知温度が設定値となるように目標運転周波数Ｆ１ｔ，Ｆ２ｔが設定される。
【００２２】
（２）コントローラ５０，６０から送られる報知信号に応じてエアハンドリングユニットの制御内容を修正する第２制御手段。
【００２３】
ＤＤＣ４０は、据付け後、熱源機２０，３０に対する制御条件（制御プログラム）を、据付け場所の環境などに応じて現場の作業員が適宜に設定または変更する操作が可能である。ここで、報知信号に基づく制御内容の修正内容には、制御プログラムを設定変更することで様々な形態が考えられるが、以下、報知信号に応じて熱源機２０，３０に対する能力制御（能力制御信号Ａ１，Ａ２）を修正する制御を例にとって説明する。
【００２４】
一般にＤＤＣ４０の出力信号は、汎用性を持たせるためアナログ信号が採用されており、能力制御信号Ａ１は、電圧レベルが0〜10Ｖの範囲で可変のアナログ信号であり、その電圧レベルの変化により目標運転周波数Ｆ１ｔを指定する。能力制御信号Ａ２は、電圧レベルが0〜10Ｖの範囲で可変のアナログ信号であり、その電圧レベルの変化により目標運転周波数Ｆ２ｔを指定する。
【００２５】
このため、熱源機２０，３０がＤＤＣ４０の信号を直接受けるためには、アナログ信号を受け取り、そのアナログ信号の指示内容を確認処理する必要がある。
【００２６】
しかしながら、一般的な空気調和機用の熱源機（室外機）２０，３０は、専用の室内機と接続されるため、その間の通信はディジタル信号をバス通信又はシリアル通信でやり取りするようになっており、アナログ信号を受け取って処理する機能を備えていない。このため、エアハンドリングユニット専用の熱源機２０，３０を開発しなければならなくなる。このような手間を無くし、熱源機２０，３０を標準化するため、空気調和機用の熱源機２０，３０がＤＤＣ４０の指示を受け取ることができるように信号を変換するコントローラ５０，６０がＤＤＣ４０と熱源機２０，３０との通信線間に挿入される。
【００２７】
従来のコントローラ５０，６０は、ＤＤＣ４０からのアナログ信号からなる熱源機２０，３０に対する指示を、熱源機２０，３０が受信可能なディジタル信号通信の形態に変更して一方的に熱源機２０，３０に送信するだけであった。
【００２８】
これに対し、本実施形態のエアハンドリングユニット用熱源機の制御装置であるコントローラ５０は、能力制御信号Ａ１を受けるためのアナログ信号ラインおよび後述の報知信号Ｂ１をＤＤＣ４０に送るためのディジタル信号ラインを介してＤＤＣ４０に接続されるとともに、制御用データバスＣ１を介して熱源機２０の熱源制御器２０ａに接続される。コントローラ６０も同様に、能力制御信号Ａ２を受けるためのアナログ信号ラインおよび後述の報知信号Ｂ２を上位のＤＤＣ４０に送るためのディジタル信号ラインを介してＤＤＣ４０に接続されるとともに、制御用データバスＣ２を介して熱源機３０の熱源制御器３０ａに接続される。またコントローラ５０，６０には、それぞれ動作状態を表示するためのモニタ５１，６１が接続されている。
【００２９】
そして、コントローラ５０は、主要な機能として次の（１１）〜（１５）の手段を有する。なお、コントローラ６０もコントローラ５０と同じであるため、以後、説明を省略する。  
（１１）能力制御信号Ａ１に応じた能力（目標運転周波数Ｆ１ｓ）を、例えば16段階の分解能で表わすディジタルデータ信号により、制御用データバスＣ１を介して熱源制御器２０ａに知らせる第１制御手段。
【００３０】
（１２）熱源機２０の能力（圧縮機の運転周波数Ｆ１）を熱源制御器２０ａに問合せして逐次に検出する検出手段。
【００３１】
（１３）上記検出手段で検出した能力（運転周波数Ｆ１）が上記ディジタルデータ信号により知らされた能力（目標運転周波数Ｆ１ｔ）に達しているかを判定する判定手段。
【００３２】
（１４）上記判定手段の判定結果を、図２に示すように論理“１”と論理“０”のパターンを有する報知信号Ｂ１により、能力制御信号Ａ１の修正用としてＤＤＣ４０に知らせる第２制御手段。
【００３３】
（１５）上記判定手段の判定結果を、モニタ５１の例えば文字表示や画像表示を用いて報知する第３制御手段。
【００３４】
なお、報知信号Ｂ１の論理“１”は、熱源機２０内の圧縮機の運転周波数Ｆ１が能力制御信号Ａ１に応じた目標運転周波数Ｆ１ｔに達していることを表わす（Ｆ１≧Ｆ１ｔ）。報知信号Ｂ１の論理“０”は、運転周波数Ｆ１が目標運転周波数Ｆ１ｔに達していないことを表わす（Ｆ１＜Ｆ１ｔ）。
【００３５】
なお、運転周波数の過渡的な変更時、すなわち、ＤＤＣ４０からの運転周波数の指示値に変更があり、熱源機２０がその変更に対応している期間、数秒〜数十秒は、必ず能力制御信号Ａ１の指示値と目標運転周波数Ｆ１ｔが不一致となるが、このような過渡的な不一致については、上述の判断はなされない。
【００３６】
つぎに、動作について説明する。  
ＤＤＣ４０は、通風路３から被空調空間に供給される空調用空気の温度が設定温度となるように、送風機１２，１５の風量を制御するとともに、熱源機２０，３０に対し能力制御信号Ａ１，Ａ２を発する。例えば、空調用空気の温度と設定温度との差が大きい場合、ＤＤＣ４０は、目標運転周波数Ｆ１，Ｆ２を高めるための能力制御信号Ａ１，Ａ２、または熱源機２０，３０を１台運転から２台運転に移行させるための能力制御信号Ａ１，Ａ２を発する。空調用空気の温度が設定温度を超えてオーバーシュートした場合、ＤＤＣ４０は、目標運転周波数Ｆ１，Ｆ２を低減するための能力制御信号Ａ１，Ａ２、または熱源機２０，３０を２台運転から１台運転に移行させるための能力制御信号Ａ１，Ａ２を発する。
【００３７】
コントローラ５０，６０は、ＤＤＣ４０から発せられた能力制御信号Ａ１，Ａ２を受け、その能力制御信号Ａ１，Ａ２に応じた目標運転周波数Ｆ１ｓ，Ｆ２ｓを熱源機２０，３０の熱源制御器２０ａ，３０ａに指令する。熱源制御器２０ａ，３０ａは、熱源機２０，３０内の各圧縮機の運転周波数Ｆ１，Ｆ２をコントローラ５０，６０からの指令による目標運転周波数Ｆ１ｓ，Ｆ２ｓに設定する。
【００３８】
コントローラ５０，６０は、熱源機２０，３０における各圧縮機の実際の運転周波数Ｆ１，Ｆ２を熱源制御器２０ａ，３０ａに問合せして逐次に検出し、検出した運転周波数Ｆ１，Ｆ２が目標運転周波数Ｆ１ｔ，Ｆ２ｔに達しているかを判定する。この比較判定を行うため、コントローラ５０,６０は、それぞれメモリを備え、直近のＤＤＣ４０から発せられた能力制御信号Ａ１，Ａ２に対応した目標運転周波数Ｆ１ｓ，Ｆ２ｓを記憶している。
【００３９】
そして、コントローラ５０，６０は、判定の結果を能力制御信号Ａ１，Ａ２の修正用として報知信号Ｂ１，Ｂ２によりＤＤＣ４０に知らせるとともに、判定の結果をモニタ５１，６１の例えば文字表示や画像表示を用いて報知する。
【００４０】
報知信号Ｂ１，Ｂ２を受けたＤＤＣ４０は、その報知信号Ｂ１，Ｂ２に基づき、運転周波数Ｆ１，Ｆ２が目標運転周波数Ｆ１ｔ，Ｆ２ｔに達しているか否かを認識する。
【００４１】
例えば、運転周波数Ｆ１，Ｆ２が目標運転周波数Ｆ１ｔ，Ｆ２ｔに達しているにもかかわらず、空調用空気の温度がなかなか設定温度に達しない場合がある。ＤＤＣ４０は、このことを報知信号Ｂ１，Ｂ２が論理“１”信号である状態が所定時間継続していることから判別する。この判別の結果、ＤＤＣ４０は、現状の目標運転周波数Ｆ１ｔ，Ｆ２ｔでは、空調能力不足であるとの判断の下に、目標運転周波数Ｆ１ｔ，Ｆ２ｔを上昇方向に修正し、修正後の目標運転周波数Ｆ１ｔ，Ｆ２ｔを指定するための能力制御信号Ａ１，Ａ２を発する。
【００４２】
以上のように、熱源機２０，３０における各圧縮機の運転周波数Ｆ１，Ｆ２がＤＤＣ４０からの能力制御信号Ａ１，Ａ２に応じた目標運転周波数Ｆ１ｔ，Ｆ２ｔに達しているかをコントローラ５０，６０で判定し、その判定結果を熱源機２０，３０に対する能力制御の修正用としてコントローラ５０，６０からＤＤＣ４０に知らせる構成としたので、ＤＤＣ４０からの能力制御信号Ａ１，Ａ２に応じた能力制御が熱源機２０，３０で実際に行われない場合には、その能力制御を補って被空調空間の快適性を確保できる。
【００４３】
コントローラ５０，６０の判定結果をモニタ５１，５２の文字表示や画像表示によって報知するので、熱源機２０，３０がどのような状態にあるかを保守作業員が容易に知ることができる。
【００４４】
［変形例］  
上記実施形態では、運転周波数Ｆ１，Ｆ２が目標運転周波数Ｆ１ｔ，Ｆ２ｔに達しているかの判定結果を論理“１”と論理“０”のパターンを有する報知信号Ｂ１，Ｂ２によりＤＤＣ４０に知らせる構成としたが、図３に示すように、論理“１”と論理“０”のパターンに加えて論理“１”と論理“０”を短時間で繰り返すパターンの報知信号Ｂ１，Ｂ２を用いてもよい。論理“１”は、熱源機２０内の圧縮機の運転周波数Ｆ１，Ｆ２が能力制御信号Ａ１，Ａ２に応じた目標運転周波数Ｆ１ｔ，Ｆ２ｔと同じであることを表わす（Ｆ１＝Ｆ１ｔ、Ｆ２＝Ｆ２ｔ）。論理“０”は、運転周波数Ｆ１，Ｆ２が目標運転周波数Ｆ１ｔ，Ｆ２ｔ未満であることを表わす（Ｆ１＜Ｆ１ｔ、Ｆ２＜Ｆ２ｔ）。論理“１”と論理“０”の短時間の繰り返しは、運転周波数Ｆ１，Ｆ２が目標運転周波数Ｆ１ｔ，Ｆ２ｔを超えていることを表わす（Ｆ１＞Ｆ１ｔ、Ｆ２＞Ｆ２ｔ）。
【００４５】
上記実施形態では、熱源機２０，３０における各圧縮機の運転周波数Ｆ１，Ｆ２が目標運転周波数Ｆ１ｔ，Ｆ２ｔに達しているか否かの判定結果のみを報知信号Ｂ１，Ｂ２によりＤＤＣ４０に知らせる構成としたが、それに加えて、熱源機２０，３０における高圧レリース制御、低圧レリース制御及び除霜運転などの実行を報知信号Ｂ１，Ｂ２によりＤＤＣ４０に知らせる構成としてもよい。
【００４６】
具体的には、熱源制御器２０ａ、３０ａが高圧レリース制御、低圧レリース制御や除霜運転に入った場合、コントローラ５０，６０にその旨を報知する。コントローラ５０，６０は、熱源制御器２０ａ、３０ａから受信したこれらの制御状態を報知信号Ｂ１，Ｂ２によりＤＤＣ４０に知らせる。
【００４７】
なお、高圧レリースは、熱源機２０，３０の冷凍サイクルの高圧部が許容圧力設定値を超えることがないように圧縮機の運転周波数Ｆ１，Ｆ２（回転数）を強制的に低下させる制御を意味し、低圧レリース制御は、熱源機２０，３０の冷凍サイクルの低圧部が許容圧力設定値よりも下がることがないように圧縮機の運転周波数Ｆ１，Ｆ２（回転数）を強制的に上昇させる制御等を意味する。また、熱源機２０，３０の除霜運転中は、予め定められた固定の圧縮機の除霜運転周波数で除霜運転が実行される。これらの高圧レリース制御、低圧レリース制御及び除霜運転のいずれの場合も、運転周波数Ｆ１，Ｆ２が能力制御信号Ａ１，Ａ２に応じた目標運転周波数Ｆ１ｔ，Ｆ２ｔと一致しない状態となる。
【００４８】
この場合、図４に示すように、１周期中に論理“１”と論理“０”があってその１周期における論理“１”期間の比率であるいわゆるオン,オフデューティが互いに異なるパターンを報知信号Ｂ１，Ｂ２に加えてもよい。オン,オフデューティＤ１（例えば10％）は、高圧レリース制御の実行中であることを表わす。オン,オフデューティＤ２（例えば40％）は、低圧レリース制御の実行中であることを表わす。オン,オフデューティＤ３（例えば70％）は、除霜運転の実行中であることを表わす。
【００４９】
このような報知信号を受信したＤＤＣ４０には、ＤＤＣ４０が指示する能力制御信号Ａ１，Ａ２に応じた目標運転周波数Ｆ１ｔ，Ｆ２ｔと異なる運転周波数で熱源機２０，３０が運転されることから、その影響を緩和するための制御動作を組み込むことができる。
【００５０】
ＤＤＣ４０は、コントローラ５０，６０からの、これらの制御状態を報知信号Ｂ１，Ｂ２によりに受取り、例えば、熱源機２０．３０が高圧レリース制御の実行中であれば、エアハンドリングユニットの本体１に供給される熱量が低下することから、これを補うようにファン１５の風量を増加させることができる。また、供給熱量よりも吹出し温度を一定に保つことを優先するのであれば、逆にファン１５の風量を低下させる。また、除霜運転中は、暖房運転中に冷風が吹出すことになるため、ＤＤＣ４０がファン１５を停止させても良い。
【００５１】
本実施形態では、独立した２台の熱源機２０、３０を用いている。２台の熱源機２０．３０が同時に除霜運転に入る確率はかなり低いことから、一方の熱源機が除霜運転中には他方の熱源機の目標運転周波数Ｆ１ｔ，Ｆ２ｔを通常よりも高くした能力制御信号Ａ１，Ａ２を送信させても良い。これにより２台の熱源機２０，３０の能力を合算した場合には、暖房能力の低下を抑制できる。
【００５２】
さらに、熱源機２０，３０が除霜運転の開始５分前であることを表わす報知信号をコントローラ５０，６０からＤＤＣ４０に供給しても良い。この信号としては、オン,オフデューティＤ４（例えば100％）を用いることができる。ＤＤＣ４０は、この除霜運転の開始５分前を示す報知信号を受けた場合、事前に暖房能力を高めて、その後に発生する除霜運転における室内の温度低下を緩和するように、目標運転周波数Ｆ１ｔ，Ｆ２ｔを通常よりも高くした能力制御信号Ａ１，Ａ２をコントローラ５０，６０に送信するようにしてもよい。
【００５３】
以上の通り、本実施形態によれば、エアハンドリングユニットの制御器であるＤＤＣから指示された熱源機の運転内容に対して、その指示内容と異なる運転を熱源機が実施する場合に、コントローラがその異なる運転内容をＤＤＣに報知することができる。この結果、エアハンドリングユニットを設置する作業員により、指示と異なる運転が熱源機側で実行された場合にエアハンドリングユニットに生じる不具合を緩和するような制御動作をＤＤＣに組み込むことが可能となる。
【００５４】
その他、上記実施形態および変形例は、例として提示したものであり、発明の範囲を限定することは意図していない。この新規な実施形態および変形例は、その他の様々な形態で実施されることが可能であり、発明の要旨を逸脱しない範囲で、種々の省略、書き換え、変更を行うことができる。これら実施形態や変形は、発明の範囲は要旨に含まれるとともに、特許請求の範囲に記載された発明とその均等の範囲に含まれる。
【符号の説明】
【００５５】
１…本体、２…通風路（第１通風路），３…通風路（第２通風路）、１１…エアフィルタ、１２…送風機、１３，１４…全熱交換器、１５…送風機、１６…エアフィルタ、２０，３０…熱源機、２０ａ，３０ａ…熱源制御器、２１，３１…熱交換器、４０…ＤＤＣ（エアハンドリングユニットの制御器）、５０，６０…コントローラ（エアハンドリングユニット用熱源機の制御装置）、５１，６１…モニタ、Ａ１，Ａ２…能力制御信号、Ｂ１，Ｂ２…報知信号
【図１】
0006503246.tif 000002
【図２】
0006503246.tif 000003
【図３】
0006503246.tif 000004
【図４】
0006503246.tif 000005